【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
複数の光源を含むバックライトユニットであって、前記複数の光源は、電磁（ＥＭ）スペクトルの紫外（ＵＶ）範囲において第１ピーク発光波長を有する光を放出するように構成された１つ又は複数の第１光源と、前記ＥＭスペクトルの青色範囲において第２ピーク発光波長を有する光を放出するように構成された１つ又は複数の第２光源とを含み、前記１つ又は複数の第１光源と、前記１つ又は複数の第２光源とは、互いに交互に配置されている、バックライトユニットと、
液晶ディスプレイ（ＬＣＤ）モジュールであって、
透明な基板上に配置された液晶（ＬＣ）溶液層と、
ピクセルのアレイであって、前記ピクセルのアレイの少なくとも１つのピクセルは、
前記ＬＣ溶液層に配置された第１サブピクセルであって、
前記複数の光源から光を受け取り、且つ前記第１ピーク発光波長及び前記第２ピーク発光波長と異なる第３ピーク発光波長を有する二次光を放出するように、前記受け取られた光の一部をコンバートするように構成された第１蛍光体フィルムと、
前記蛍光体フィルムに光学的に結合された第１フィルタ素子であって、前記第３ピーク発光波長を有する前記二次光が前記第１フィルタ素子を通過することを可能にし、且つ前記複数の光源からの前記光のコンバートされていない部分が前記第１フィルタ素子を通過することを遮断するように構成された第１フィルタ素子と
を含む第１サブピクセルと、
前記ＬＣ溶液層に配置された第２サブピクセルであって、
第２フィルタ素子であって、前記第２ピーク発光波長を有する前記光が前記第２フィルタ素子を通過することを可能にし、且つ前記第１ピーク発光波長を有する前記光が前記第２フィルタ素子を通過することを遮断するように構成された第２フィルタ素子
を含む第２サブピクセルと
を含む、ピクセルのアレイ
を含む液晶ディスプレイ（ＬＣＤ）モジュールと
を含む表示装置。
【請求項２】
前記第１フィルタ素子は、前記受け取られた光の前記コンバートされていない部分を吸収するように構成され、及び前記第２フィルタは、前記第１ピーク発光波長を有する前記光を吸収するように構成される、請求項１に記載の表示装置。
【請求項３】
前記第１フィルタ素子は、前記一次光の前記コンバートされていない部分を散乱させるように構成され、及び前記第２フィルタは、前記第１ピーク発光波長を有する前記光を散乱させるように構成される、請求項１に記載の表示装置。
【請求項４】
前記第１フィルタ素子は、前記第１蛍光体フィルム上に配置される、請求項１〜３のいずれか一項に記載の表示装置。
【請求項５】
前記第１フィルタ素子は、前記第１蛍光体フィルム上に配置される基板上に配置される、請求項１〜３のいずれか一項に記載の表示装置。
【請求項６】
前記ピクセルのアレイの前記少なくとも１つのピクセルは、
第３サブピクセルであって、
前記複数の光源から光を受け取り、且つ前記第１ピーク発光波長、前記第２ピーク発光波長及び前記第３ピーク発光波長と異なる第４ピーク発光波長を有する二次光を放出するように、前記受け取られた光の一部をコンバートするように構成された第２蛍光体フィルムと、
前記第２蛍光体フィルムに光学的に結合された第３フィルタ素子であって、前記第４ピーク発光波長を有する前記二次光が前記第３フィルタ素子を通過することを可能にし、且つ前記複数の光源からの前記光のコンバートされていない部分が前記第３フィルタ素子を通過することを遮断するように構成された第３フィルタ素子と
を含む第３サブピクセル
をさらに含む、請求項１〜５のいずれか一項に記載の表示装置。
【請求項７】
前記第１蛍光体フィルムは、赤色光を放出するように構成されたルミネッセンスナノ構造体の第１集団を含み、及び
前記第２蛍光体フィルムは、緑色光を放出するように構成されたルミネッセンスナノ構造体の第２集団を含む、請求項６に記載の表示装置。
【請求項８】
前記第２サブピクセルは、
前記複数の光源からの光を受け取り、且つ前記第２ピーク発光波長を有する二次光を放出するように、前記受け取られた光の一部をコンバートするように構成された第３蛍光体フィルム
をさらに含む、請求項１〜７のいずれか一項に記載の表示装置。
【請求項９】
前記第３蛍光体フィルムは、前記第２ピーク発光波長を有する前記二次光を放出するように構成されたナノ構造体の第３集団を含む、請求項８に記載の表示装置。
【請求項１０】
前記第２光源に対する前記第１光源の比は、３：１〜１：１である、請求項１〜９のいずれか一項に記載の表示装置。
【請求項１１】
前記第１ピーク発光波長は、４２０ｎｍ未満であり、及び前記第２ピーク発光波長は、４４５ｎｍ〜４５５ｎｍである、請求項１〜１０のいずれか一項に記載の表示装置。
【請求項１２】
前記第１ピーク発光波長は、４００ｎｍ〜４１０ｎｍである、請求項１〜１１のいずれか一項に記載の表示装置。
【請求項１３】
前記第１ピーク発光波長は、３６０ｎｍ〜３７０ｎｍである、請求項１〜１１のいずれか一項に記載の表示装置。
【請求項１４】
光キャビティをさらに含み、前記複数の光源は、前記光キャビティ内に位置決めされる、請求項１〜１３のいずれか一項に記載の表示装置。
【請求項１５】
導光板をさらに含み、前記複数の光源は、前記導光板の外部に結合される、請求項１〜１４のいずれか一項に記載の表示装置。
【請求項１６】
液晶ディスプレイ（ＬＣＤ）モジュールと、ピクセルのアレイと、前記ピクセルの前記アレイのピクセルと、を含む表示装置であって、前記ＬＣＤモジュールは、
透明な基板上に配置された液晶（ＬＣ）溶液層と、
前記ＬＣ溶液層に配置された第１サブピクセルであって、
電磁（ＥＭ）スペクトルの紫外（ＵＶ）範囲における第１ピーク発光波長と、前記ＥＭスペクトルの青色範囲における第２ピーク発光波長とを有する光を受け取り、且つ前記第１ピーク発光波長及び前記第２ピーク発光波長と異なる第３ピーク発光波長を有する二次光を放出するように、前記受け取られた光の一部をコンバートするように構成された第１量子ドット（ＱＤ）フィルムと、
前記第１ＱＤフィルム上に配置された第１フィルタ素子であって、前記第３ピーク発光波長を有する前記二次光が前記第１フィルタ素子を通過することを可能にし、且つ前記受け取られた光のコンバートされていない部分が前記フィルタ素子を通過することを遮断するように構成された第１フィルタ素子と
を有する第１サブピクセルと、
前記ＬＣ溶液層に配置された第２サブピクセルであって、
第２フィルタ素子であって、前記第２ピーク発光波長を有する前記光が前記第２フィルタ素子を通過することを可能にし、且つ前記第１ピーク発光波長を有する前記光が前記第２フィルタ素子を通過することを遮断するように構成された第２フィルタ素子
を有する第２サブピクセルと
を含む、表示装置。
【請求項１７】
前記第１ＱＤフィルムは、赤色光を放出するように構成されたＱＤの第１集団を有し、及び前記ＬＣＤモジュールは、
緑色光を放出するように構成されたＱＤの第２集団を有する第２ＱＤフィルムを含む第３サブピクセル
をさらに含む、請求項１６に記載の表示装置。
【請求項１８】
前記第２サブピクセルは、青色光を放出するように構成されたＱＤの第３集団を有する第３ＱＤフィルムをさらに含む、請求項１７に記載の表示装置。
【請求項１９】
前記第１フィルタ素子は、前記受け取られた光の前記コンバートされていない部分を吸収するように構成され、及び前記第２フィルタは、前記第１ピーク発光波長を有する前記光を吸収するように構成される、請求項１６〜１８のいずれか一項に記載の表示装置。
【請求項２０】
前記第１フィルタ素子は、前記受け取られた光の前記コンバートされていない部分を散乱させるように構成され、及び前記第２フィルタは、前記第１ピーク発光波長を有する前記光を散乱させるように構成される、請求項１６〜１８のいずれか一項に記載の表示装置。
【請求項２１】
前記第１フィルタ素子は、前記第１ＱＤフィルム上に配置される、請求項１６〜２０のいずれか一項に記載の表示装置。
【請求項２２】
前記第１フィルタ素子は、前記第１ＱＤフィルム上に配置される基板上に配置される、請求項１６〜２０のいずれか一項に記載の表示装置。
【請求項２３】
前記ＵＶ光を発生させるように構成された１つ又は複数の第１光源と、前記青色光を発生させるように構成された１つ又は複数の第２光源とをさらに含み、前記第２光源に対する前記第１光源の比は、３：１〜１：１である、請求項１６〜２２のいずれか一項に記載の表示装置。
【請求項２４】
前記第１ピーク発光波長は、４２０ｎｍ未満であり、及び前記第２ピーク発光波長は、４４５ｎｍ〜４５５ｎｍである、請求項１６〜２３のいずれか一項に記載の表示装置。
【請求項２５】
前記第１ピーク発光波長は、４００ｎｍ〜４１０ｎｍである、請求項１６〜２４のいずれか一項に記載の表示装置。
【請求項２６】
前記第１ピーク発光波長は、３６０ｎｍ〜３７０ｎｍである、請求項１６〜２４のいずれか一項に記載の表示装置。
【請求項２７】
光キャビティをさらに含み、前記１つ又は複数の第１光源及び前記１つ又は複数の第２光源は、前記光キャビティ内に位置決めされる、請求項２３〜２６のいずれか一項に記載の表示装置。
【請求項２８】
導光板をさらに含み、前記１つ又は複数の第１光源及び前記１つ又は複数の第２光源は、前記導光板の外部に結合される、請求項２３〜２７のいずれか一項に記載の表示装置。